(57)【要約】【課題】  １本の又は複数本の中央の弾力木製条片をその高さに関して調整することが可能であり、それにより、人物が重い又は軽い体重を有する或いは大きい又は小さいということに依存せず、ベットフレームを使用している人物のための全面的な均一の頭部支持が達成される、弾力木製条片用の支承体を創作する。【解決手段】  弾力木製条片用の受容ポケットを有する、ベットフレームの弾力木製条片用の支承体であって、少なくとも３つの受容ポケットが相並んで配設されている、前記支承体において、少なくとも中央の受容ポケットが多重受容ポケット（４）として形成されていること。【選択図】  図１
2005324035.tif 000002
【特許請求の範囲】
【請求項１】
弾力木製条片用の受容ポケットを有する、ベットフレームの弾力木製条片用の支承体であって、少なくとも３つの受容ポケットが相並んで配設されている、前記支承体において、少なくとも中央の受容ポケットが多重受容ポケット（４）として形成されていることを特徴とする支承体。
【請求項２】
多重受容ポケット（４）が、独立した構成部材として、支承体（１）から取り外し可能であることを特徴とする、請求項１に記載の支承体。
【請求項３】
多重受容ポケット（４）が、上下に配設されている少なくとも２つの受容ポケット（４ａ、４ｂ）を有することを特徴とする、請求項１又は２に記載の支承体。
【請求項４】
受容ポケット（４ａ、４ｂ）の１つに硬化要素が嵌め込み可能であることを特徴とする、請求項１〜３のいずれか一項に記載の支承体。
【請求項５】
異なる弾力木製条片が硬さ調整スライダにより連結可能であることを特徴とする、請求項１〜４のいずれか一項に記載の支承体。
【発明の詳細な説明】
【技術分野】
【０００１】
本発明は、主請求項の前提部（所謂おいて部）に従う、ベットフレームの弾力木製条片（スプリングウッドストリップ）用の支承体（サポートボディ）に関する。
【背景技術】
【０００２】
特許文献１からは弾力羽根板（木ずり）を備えた羽根板すのこが周知であり、そこでは３つの弾力羽根板が相並んで対応する支承体に配設されている。これらの３つの羽根板は同じ高さに位置し、これらの羽根板の下側或いは真中の羽根板の下側には補助羽根板ホルダが配設されていて、この補助羽根板ホルダは補助羽根板を受容し、その役割は、上側の弾力羽根板がたわめられた場合にこの弾力羽根板を補助羽根板上に載置するということであり、それによりその支持力が通常の弾力羽根板の支持力に加えられる。このようにして羽根板のたわみに対する抵抗が増加され、そのように形成された羽根板すのこは、この装置が装備された領域でより硬いものとなる。
【０００３】
特許文献２からは同様に弾力木製条片用の支承体が周知であり、そこでは３つの羽根板が相並んで配設されている。これらの３つの羽根板の下側には他の羽根板が設けられていて、この羽根板は、上側の中央の羽根板の下面から間隔をおいて配設されていて、調整スライダを受容する役割を有し、この調整スライダを用いることでこのスライダの調整によりその上に配設されている羽根板がその弾力特性に関して硬化又は変更される。
【０００４】
更に、上側の中央の弾力木製条片はその横に設けられている両方の弾力木製条片よりも高い位置に配設されていて、それにより、ベットを使用しない場合にはマットレスが大抵の弾力木製条片を越えてより高いところに配置され、それによりマットレスの下面の良好な通気が達成されるということが達成される。
【０００５】
つまり、従来技術では硬さ調整スライダが知られていて、これらの硬さ調整スライダは弾力木製条片を互いに連結させ、それにより弾力木製条片の復元力が調整可能とされる。
【０００６】
【特許文献１】独国実用新案登録第９３１６７０５Ｕ１号明細書
【特許文献２】欧州特許出願公開第１１８６２６１Ａ２号明細書
【発明の開示】
【発明が解決しようとする課題】
【０００７】
本発明の基礎を成す課題は、１本の又は複数本の中央の弾力木製条片をその高さに関して調整することが可能であり、それにより、人物が重い又は軽い体重を有する或いは大きい又は小さいということに依存せず、ベットフレームを使用している人物のための全面的な均一の頭部支持が達成される、弾力木製条片用の支承体を創作することである。
【課題を解決するための手段】
【０００８】
本発明の基礎をなるこの課題は、主請求項に記載した措置により解決される。
【０００９】
本発明の有利な構成は下位請求項に記載されている。
【００１０】
他言すると、周知のように支承体が弾力木製条片用の複数の受容部を有し、この際、好ましくは３本の弾力木製条片が設けられるが、同じように４本の弾力木製条片も相並んで配設され得る。この際、それらの弾力木製条片用の中央の受容部、即ち、１本の又は両方の中央の弾力木製条片用の中央の受容部は、多重受容ポケットとして形成されていて、それによりそこでは２本の弾力木製条片が上下に嵌め込まれ得る。ベットフレームを使用する人物の体重或いは大きさに依存し、１つの又は両方の中央の受容ポケット又は多重受容ポケット内に弾力木製条片が上側の又は下側の受容ポケット内に嵌め込まれ得て、それにより、例えば重い人物のために、全ての条片が上側のレベルに配設されている場合には全面的な均一の頭部支持が達成される。ベットフレームを比較的軽量の人物が使用する場合、中央の条片はより深くに移され、その結果、この場合にも全面的な均一の頭部支持が行われる。それに加え、部分的な条片配置が選択され得て、それらの条片配置は、例えば肩領域又は臀部領域における固有のゾーン形成のような様々な体プロポーションに適合される。このことは、条片を高くする或いは低くすることにより又は真中の条片を除去することにより行われる。
【００１１】
更に、受容ポケットの１つ、好ましくは多重受容ポケットの受容ポケットの１つに硬化要素を嵌め込むことが可能である。
【００１２】
更に本発明に従い、異なる弾力木製条片を硬さ調整スライダにより互いに連結させるという可能性が提供される。
【００１３】
多重受容ポケット内の支承部は、点弾性の増加の意味で、条片が鉛直方向でできるだけ互いに依存せずに反応し得るように配設されている。
【００１４】
受容ポケットが支承体と材料統一的に形成されている場合、弾力木製条片を対応する受容ポケット内に嵌め込むことは比較的困難であるので、更に本発明に従い、多重受容ポケットが、支承体から取り外し可能な独立した構成部材として形成されている。つまり、取り外されたこの状態において弾力木製条片は容易に嵌め込まれ又は交換され得て、その後、多重受容ポケットを用いて再び支承体内に取り込まれ得る。独立した構成部材として形成されている多重受容ポケットの支承体内での把持は問題なく行われる。それに加え、この配置構成は、条片が支承部内で十分に離れていて、点弾性的に反応し得るという長所を提供する。
【発明を実施するための最良の形態】
【００１５】
次に図面に基づいて本発明の実施形態を説明する。
【実施例１】
【００１６】
図１には支承体（サポートボディ）１が描かれていて、この支承体１は固定要素５を有し、この固定要素５を用いて支承体１がベットフレームに固定され得る。更に支承体１は、非図示の弾力木製条片（スプリングウッドストリップ）用の受容ポケット２、３、４を有し、この際、これらの受容ポケットは、弾性を有する支持異形部を介在して固定要素５と接続されている。
【００１７】
図面に描かれているように、中央の受容ポケット４は多重受容ポケットとして形成されていて、上下に配設されている２つの受容ポケット４ａ、４ｂを有する。これらのポケット４ａ或いは４ｂ内には弾力木製条片の端部が嵌め込まれ得る。
【００１８】
更に図面から明らかであるように、多重受容ポケット４は支承体１から取り外し可能であり、それにより、対応する受容ポケット４ａ或いは４ｂにおける弾力木製条片の嵌め込み及び交換が簡単に実施され得る。
【００１９】
図面には相並んで配設されている３つの受容ポケット２、３、４が描かれているが、４つの受容ポケットが相並んで配設され得ることも本発明の枠内のことであり、その際には中央の両方の受容ポケットが、支承体１から取り外し可能な構成部材として形成されている。
【図面の簡単な説明】
【００２０】
【図１】本発明の実施形態を示す図である。
【符号の説明】
【００２１】
１    支承体
２    受容ポケット
３    受容ポケット
４    受容ポケット
４ａ  受容ポケット
４ｂ  受容ポケット
５    固定要素
６    支持異形部
【図１】
2005324035.tif 000003